(57)【要約】【課題】住宅等の空間を居住者の好みに応じて簡単に変更することができ、またカーペットの汎用性を高め、しかも不必要に使用しなくても所期の目的を達成することができる、意匠的にも優れた、敷物を提供する。【解決手段】適数個の通孔３が開設された表層材２，２ｂ，２ｃと、当該表層材２，２ｂ，２ｃの裏面に密着された裏打ち材２０と、表層材２，２ｂ，２ｃの各通孔３内に位置し裏打ち材２０に密着された擬似自然物３０と、から構成したことを特徴とする。【選択図】　　　　　　図１
0003096862.tif 000002
【実用新案登録請求の範囲】
【請求項１】
適数個の通孔が開設された表層材と、当該表層材の裏面に密着された裏打ち材と、前記表層材の各通孔内に位置し前記裏打ち材に密着された擬似自然物と、から構成したことを特徴とする敷物。
【請求項２】
前記擬似自然物は、人工の、石、貝殻、植物あるいは動物の内、いずれかである請求項１に記載の敷物。
【請求項３】
前記擬似自然物は、前記表層材の表面より少なくとも一部が露呈していることを特徴とする請求項１又は２に記載の敷物。
【請求項４】
前記擬似自然物は、前記表層材の各通孔内周壁との間の隙間が可及的に小さくなるようにきっちりと配置されていることを特徴とする請求項１〜３に記載の敷物。
【請求項５】
前記表層材と裏打ち材との間に、刃物が挿通しにくい材料よりなる中間層を有する請求項１に記載の敷物。
【請求項６】
前記表層材は、前記擬似自然物に対応した色を有する繊維材により構成したことを特徴とする請求項１に記載の敷物。
【請求項７】
前記表層材は、人工芝により構成したことを特徴とする請求項１に記載の敷物。
【請求項８】
前記表層材と裏打ち材は、所定の幅を有する帯状としたことを特徴とする請求項１〜７に記載の敷物。
【請求項９】
前記表層材と裏打ち材は、１辺が所定長の正方形である請求項１〜７に記載の敷物。
【考案の詳細な説明】
【０００１】
【考案の属する技術分野】
本考案は、床面等に敷設される敷物に関する。
【０００２】
【従来の技術】
近年、マンションや戸建て住宅等に敷設される敷物には、屋内で使用されるカーペットや畳表等の他に、屋外で使用される人工芝等がある。
【０００３】
このような敷物は、主として機能性を重視したもので、例えば、耐久性、防音性、クッション性、衝撃吸収性の要求に対応するように、ロール状あるいはタイル状に成形されたカーペットや、発泡体が裏打ちされたもの等である（下記特許文献１等参照）。
【０００４】
また、健康維持を目的として、足の裏に刺激を加えるように石が設けられた足踏みマット等も開発されている（下記特許文献２等参照）。
【０００５】
【特許文献１】
特開平１０−６１１５８号公報（特許請求の範囲及び図１等参照）
【特許文献２】
特開平８−２４３０６号公報（特許請求の範囲等参照）
【０００６】
【考案が解決しようとする課題】
しかし、住宅の床面等にカーペットを敷設すると、往々にして部屋一面に単一色が拡がり、生活空間が無味乾燥したものとなる。特に、マンションあるいはホテルの各部屋は、四方のコンクリート壁面で取り囲まれた領域内に単一色のカーペットが敷設されている場合が多いので、絵画や置物等により装飾付けを行なっているが、このような装飾付けは、費用が掛かる。
【０００７】
また、例えば、部屋の一角に花や木等の自然物を設置して居住者の好みの空間、例えば、癒し空間を形成しようとしても、実際の自然物を設置することは難しく、その維持には多大の労力と費用が掛かる。
【０００８】
さらに、植木あるいは花器の展示即売会場等のような、広い領域で展示物を陳列する場合に、歩行通路を形成するためにカーペットが設けられることがあるが、この歩行通路も単にカーペットを敷くのみでは、多大なカーペットが必要となるのみでなく、単一色のカーペットであれば、展示品がかもし出す雰囲気とのギャップが大きく違和感が生じ、好ましいものではない。
【０００９】
加えて、カーペット自体の利用も敷物に限定され、汎用性のないものとなっている。
【００１０】
本考案は、上述した従来技術の課題を解決するためになされたもので、住宅等の空間を居住者の好みに応じて簡単に変更することができ、またカーペットの汎用性を高め、意匠的にも優れた、敷物を提供することを目的とする。
【００１１】
【課題を解決するための手段】
本考案の目的は、下記する手段により達成される。
【００１２】
（１）　適数個の通孔が開設された表層材と、当該表層材の裏面に密着された裏打ち材と、前記表層材の各通孔内に位置し前記裏打ち材に密着された擬似自然物と、から構成したことを特徴とする敷物。
【００１３】
（２）　前記擬似自然物は、人工の、石、貝殻、植物あるいは動物の内、いずれかである前記（１）の敷物。
【００１４】
（３）　前記擬似自然物は、前記表層材の表面より少なくとも一部が露呈していることを特徴とする前記（１）又は（２）の敷物。
【００１５】
（４）　前記擬似自然物は、前記表層材の各通孔内周壁との間の隙間が可及的に小さくなるようにきっちりと配置されていることを特徴とする前記（１）〜（３）の敷物。
【００１６】
（５）　前記表層材と裏打ち材との間に、刃物が挿通しにくい材料よりなる中間層を有する前記（１）の敷物。
【００１７】
（６）　前記表層材は、前記擬似自然物に対応した色を有する繊維材により構成したことを特徴とする前記（１）の敷物。
【００１８】
（７）　前記表層材は、人工芝により構成したことを特徴とする前記（１）の敷物。
【００１９】
（８）　前記表層材と裏打ち材は、所定の幅を有する帯状としたことを特徴とする前記（１）〜（７）の敷物。
【００２０】
（９）　前記表層材と裏打ち材は、１辺が所定長の正方形である前記（１）〜（７）の敷物。
【００２１】
【考案の実施の形態】
以下、図面に基づいて、本考案の実施の形態を説明する。
【００２２】
＜第１の実施形態＞
図１は本考案の第１実施形態に係る敷物の斜視図、図２は図１の２−２線に沿う断面図、図３は同敷物により形成した居住空間の一例を示す平面図である。
【００２３】
図１において、本実施形態に係る敷物１Ａは、概して、表層材２と、裏打ち材２０と、表層材２に開設された複数の通孔３内に位置する擬似自然物３０とから構成されている。
【００２４】
この敷物１Ａは、住宅の床面を覆う敷物や、床の面や飾り棚の面に設置される置物等の下敷きあるいは台として利用することにより、部屋の一角あるいは一部等を、居住者の好みに応じて変更できるようにしたものである。例えば、居住者が、自然を取り入れた趣のある、あるいは潤いのある居住空間に改善する場合に使用して好ましいものである。なお、インテリアのみでなく、場合によってはエクステリアの改善にも使用できる。
【００２５】
さらに詳述する。本実施形態の表層材２は、例えば、図２に示すように、基層部材４と、この基層部材４に設けた比較的太い糸部５と、支持部材６とから構成されている。基層部材４や支持部材６は、材質的にはどのようなものであってもよいが、当該敷物１Ａをカーペットとして使用する場合には、例えば、ポリエステル繊維、ナイロン繊維、ポリオレフィン繊維等の合成繊維又は羊毛、木綿等の天然繊維を、単一又は複数混合することにより形成した繊維材であることが好ましい。
【００２６】
前記糸部５は、基層部材４にパイル状に縫い付けるかあるいは植設したものであるが、インテリアあるいはエクステリアの改善を図るには、前記擬似自然物３０に対応した色を有していることが好ましい。ここに、「擬似自然物に対応した色」とは、真の自然物が通常存在している場所を概して示すかあるいは想起させる色であり、例えば、擬似自然物３０が、石の場合は「土、草又は砂」色、貝殻の場合は「砂」色、植物の場合は「土又は草」色、動物の場合は「土又は木」の色等である。
【００２７】
この基層部材４や支持部材６の厚みとしては、１ｍｍ〜５ｍｍが望ましいが、後の切断加工を考慮すれば、１〜２ｍｍ程度が好ましい。
【００２８】
前記裏打ち材２０は、本実施形態では、裏面部材２１と支持部材２２とから構成されており、これらは、材質的にはどのようなものであってもよいが、前記基層部材４や支持部材６と同様の材料を用いている。
【００２９】
裏打ち材２０の厚みとしては、１ｍｍ〜５ｍｍが望ましいが、後の切断加工を考慮すれば、１ｍｍ〜２ｍｍ程度とすることが好ましい。なお、裏面部材２１に滑り防止性を持たせるために、ウレタンあるいはゴム等からなる摩擦抵抗材料を使用しても良い。
【００３０】
前記擬似自然物３０は、本実施形態では人工の石であるが、模造した貝殻、植物あるいは動物等を使用してもよい。
【００３１】
このように人工のものを使用するのは、自然のものでは個々の外形形状が不均一となり、量産性が低下し、好ましくないからであり、合成樹脂を使用して全体的に自然のものと類似するように成形している。なお、人工石の場合、使用材料としてはセメントを使用するが、この他に、例えば、ガラス、合成樹脂あるいはセラミックス等を使用しても良い。また、その表面は、極力自然なものに見えるように塗料を塗布してもよく、場合によっては、種々の模様付け等を行なっても良い。
【００３２】
人工石の成形に当っては、外形形態は複数種類のもの成形することが好ましい。多数形成すれば選択の幅が大きくなり好ましいが、コスト的に好ましくない。人工石の高さＨは、取付け時に表層材２の上面より高くなる程度とし、表層材２に開設された通孔３から少なくとも一部が突出して露呈することが好ましい。表層材２の毛足が長くても、容易に擬似自然物３０を外部から目視し易いからであるる。
【００３３】
人工石の取付けに当っては、前記裏打ち材２０に直接接着剤Ｓを用いて取付けても良く、あるいは後に詳述する中間層１０に接着剤Ｓを用いて取付けても良い。いずれにしても、製品品質の向上から、表層材２の各通孔３の内周壁３ａとの間の隙間Ｇが可及的に小さくなるようにきっちりと配置されていることが好ましい。
【００３４】
ここにおいて、製造コストの低減の面からすれば、中間層１０がなく、表層材２と裏打ち材２０が直接接着されたものを使用することが好ましい。ところが、このような表層材２と裏打ち材２０が接着されたものを用い、カッター等の刃物を使用して通孔３を形成すると、裏打ち材２０を切らず表層材２のみを切除して通孔３を形成することは、極めて面倒な作業になる虞がある。
【００３５】
したがって、本実施形態では、表層材２と裏打ち材２０との間に中間層１０を設け、通孔３の形成を容易にしている。この場合、中間層１０としては、カッター等の刃物が挿通し難い材料（例えば、ガラス繊維あるいは金属繊維等）を使用し、また所定の厚さとする。このようにすれば、カッター等の刃物の押し込み量を規制でき、表層材２のみを切断して通孔３の形成作業が極めて容易にかつ迅速に行なうことができる。なお、中間層１０の厚さとしては、０．５〜１．５ｍｍ程度が好ましい。
【００３６】
上述の敷物１Ａは、どのような大きさあるいは形状であってもよいが、敷設性や人工石３０の配置性などを考慮すれば、１辺が、例えば、３０ｃｍ〜５０ｃｍ程度の正方形であることが好ましい。
【００３７】
次に、作用を説明する。
【００３８】
例えば、竜安寺の石庭のように、砂地に石が散在しているような癒しの空間を、床面の一角に形成する場合には、まず、砂地色の表層材２であって、石が取付けられている正方形のカーペット状の敷物１Ａを複数枚準備する。
【００３９】
このカーペット状の敷物１Ａを相互に密着するように整列配置し、住宅の床面あるいは床の面や飾り棚の面等に載置する。なお、これら敷物１Ａは、板床面に直接載置してもよく、また、既存のカーペット上に載置しても良い。
【００４０】
この結果、図３に示すように、壁Ｋで区画された住宅の床面の場合は、居住スペースの一部が、石が散在している敷物１Ａにより覆われることになり、部屋の一角あるいは一部が、一見すると石庭のような自然が取り入れられた趣や潤いのある空間が形成できる。
【００４１】
ただ、このような空間は、居住者の好みによるので、他の趣を持った空間にすることもできる。この場合には、前記擬似自然物３０が異なる敷物１Ａを使用することになる。例えば、海岸等のような癒し領域が好みの場合には、砂地色の表層材２で、貝殻が取付けられている正方形のカーペット状の敷物１Ａを使用する。
【００４２】
この敷物１Ａを、前記と同様に、床面等に直接載置すれば、海岸的な癒し空間を形成することができる。
【００４３】
このように本実施形態によれば、適宜、異種擬似自然物３０が設けられた敷物１Ａを選択的に使用することにより、居住者の好みに応じた居住スペースに簡単に変更することができる。
【００４４】
また、カーペット状の敷物１Ａであっても、単に敷設するのみでなく、周辺環境に変化を持たせ、また、意匠的効果も有するので、汎用性も向上する。
【００４５】
＜第２の実施形態＞
図４は本考案の第２実施形態に係る敷物の斜視図、図５は図４の５−５線に沿う断面図であり、図１〜３に示す部材と共通する部材には同一符号を付し、説明は省略する。
【００４６】
本実施形態に係る敷物１Ｂは、表層材２ｂとして全体が緑色をした合成樹脂により構成された人工芝２３を用い、裏打ち材２０ｂとして前記人工芝２３が立設された基部材２４を支持リブ２５により支持したものを使用している。
【００４７】
この人工芝２３内にも、擬似自然物３０である石が散在するように接着剤Ｓにより固着されている。
【００４８】
なお、裏打ち材２０ｂは、軽量化のために、平板上の基部材２４と、支持リブ２５のみにより形成されているが、前記擬似自然物３０である石も、軽量化のために、図中一点鎖線で囲まれた部分Ｐをくりぬいた構造の、リブ付き中空体により形成しても良い。
【００４９】
この敷物１Ｂを、住宅のベランダに敷設し、余剰部分が生じると、鋏などにより切断除去し、きっちりとベランダ内に収まるように設置すると、恰も芝生の中に飛び石が散在しているような、自然で潤いのある癒しの空間が形成され、エクステリアを改善できる。
【００５０】
なお、この場合も、居住者の好みにより、他の趣を持った空間にすることもできる。例えば、海岸等のような癒し領域が好みの場合には、砂地色の表層材２ｂで、貝殻が取付けられている正方形の敷物１Ｂを使用すればよい。
【００５１】
＜第３の実施形態＞
図６は本考案の第３実施形態に係る敷物の平面図、図７は同実施形態の変形例を示す平面図、図８は同実施形態に係る敷物の敷設状態を示す平面図、図９は同実施形態に係る敷物の他の敷設状態を示す平面図であり、図１〜５に示す部材と共通する部材には同一符号を付し、説明は省略する。
【００５２】
本実施形態に係る敷物１Ｃは、所定幅を有する帯状のものであり、構造的には前記第１実施形態と同様なもので、表層材２ｃと、図示しない裏打ち材及び中間層とを有し、これに擬似自然物３０である石を所定間隔に配置したものである。
【００５３】
この帯状は、種々の形態にすることができ、例えば、図６に示す曲率半径Ｒの円弧形状のものや、図７に示す波形状のもの等がある。
【００５４】
このような帯状の敷物１Ｃは、展示会場の歩行通路の両側に敷設され、歩行通路のガイドライン用として利用できる。例えば、広い展示会場では、歩行通路を形成するためにカーペットが設けられることがあるが、この歩行通路もカーペットを敷くと、多量のカーペットが必要となり、また、単一色のカーペットを敷くのみでは、展示品Ｍが置かれたブースの雰囲気との間で違和感が生じることがある。
【００５５】
したがって、本実施形態では、図８に示すように、広い展示会場Ｔにおいて、前記石が取付けられた帯状をしたカーペット状の敷物１Ｃを複数個シリーズに連結して敷設することにより、展示ブースを隈なく見て回ることができる歩行通路のガイドラインを形成している。
【００５６】
このようにすれば、多量のカーペットを用いることなく、細く少量の敷物１Ｃのみで歩行通路を形成でき、また、違和感も解消でき、より自然な雰囲気の展示会場等となる。
【００５７】
ただし、本実施形態はこれのみでなく、場合によっては、図９に示すように、前記実施形態で使用したカーペット状の敷物１Ａの外縁部を仕切るために使用することもできる。この場合は、この帯状の敷物１Ｃで区画された領域内に正方形のカーペット状敷物１Ａを敷き、正方形のカーペット状敷物１Ａの端部が帯状の敷物１Ｃとオーバーラップする部分が生じると、両者の端面が一致するように鋏などにより切断する。
【００５８】
この結果、前記床面の一角には、石が散在する敷物で覆われた、一見すると石庭のような領域が形成される。
【００５９】
本願考案は、上述した実施形態のみに限定されるものではなく、実用新案登録請求の範囲内で種々変更することが可能である。例えば、擬似自然物は、人工の、石、貝殻、植物あるいは動物等を例示的に列挙しているが、これらを複合的に使用しても良く、また、他のものであっても良い。
【００６０】
【考案の効果】
請求項１の考案は、通孔が開設された表層材に裏打ち材を密着し、各通孔内に擬似自然物を配置したので、住宅等の空間を居住者の好みに応じて簡単に変更することができ、しかも、単にカーペットのみでなく、置物等の下敷きあるいは台として利用でき、汎用性も高まり、意匠的にも優れた敷物として利用できる。
【００６１】
請求項２の考案は、擬似自然物を人工の石等により構成したので、自然物と似せやすいものを比較的容易に製造でき、また、これらであれば住宅等の空間を癒し空間にする等、居住者が好みを発揮しやすい。
【００６２】
請求項３の考案は、擬似自然物を表層材の表面より露呈すれば、表層材の毛足が長くても、容易に当該擬似自然物を外部から目視し易く、居住空間の変更がより明確にできる。
【００６３】
請求項４の考案は、擬似自然物を通孔内に内周壁と隙間なくきっちりと配置すれば、製品品質の良いものが得られる。
【００６４】
請求項５の考案は、表層材と裏打ち材との間に、刃物が挿通しにくい材料の中間層を設けると、表層材の厚みなどを配慮することなく、刃物により簡単に通孔を形成でき、生産性が向上する。
【００６５】
請求項６の考案は、表層材色を擬似自然物に対応した繊維材にすれば、敷物全体が恰も自然の一部と感じられ、居住者が好みに応じた癒し空間等を形成することができる。
【００６６】
請求項７の考案は、表層材を人工芝にすれば、ベランダなどにおいても居住者が好みに応じた癒し空間等を形成でき、エクステリアの改善が容易にできる。
【００６７】
請求項８の考案は、表層材と裏打ち材を所定幅の帯状とすれば、展示即売会場等のような、広い領域で展示物を陳列する場合でも、歩行通路を展示品がかもし出す雰囲気を損なうことなく形成でき、また、広大なカーペット使用しなくても雰囲気の良い自然な歩行通路を形成でき、さらに、カーペット自体の汎用性を高めることもできる。
【００６８】
請求項９の考案は、表層材と裏打ち材を１辺が所定長の正方形とすれば、いわゆるタイルカーペットとして使用でき、利便性が向上する。
【図面の簡単な説明】
【図１】本考案の第１実施形態に係る敷物の斜視図である。
【図２】図１の２−２線に沿う断面図である。
【図３】同敷物により形成した居住空間の一例を示す平面図である。
【図４】本考案の第２実施形態に係る敷物の斜視図である。
【図５】図４の５−５線に沿う断面図である。
【図６】本考案の第３実施形態に係る敷物の平面図である。
【図７】同実施形態の変形例を示す平面図である。
【図８】同実施形態に係る敷物の敷設状態を示す平面図である。
【図９】同実施形態に係る敷物の他の敷設状態を示す平面図である。
【符号の説明】
１Ａ，１Ｂ，１Ｃ…敷物、
２，２ｂ，２ｃ…表層材、
３…通孔、
３ａ…内周壁、
１０…中間層、
２０，２０ｂ…裏打ち材、
２３…人工芝、
３０…擬似自然物、
Ｇ…隙間。
【図１】
0003096862.tif 000003
【図２】
0003096862.tif 000004
【図３】
0003096862.tif 000005
【図４】
0003096862.tif 000006
【図５】
0003096862.tif 000007
【図６】
0003096862.tif 000008
【図７】
0003096862.tif 000009
【図８】
0003096862.tif 000010
【図９】
0003096862.tif 000011